(57)【要約】【課題】表示板を用いた視覚的な演出を多彩にする。【解決手段】Ａグループは、前記絵柄の形状が前後の表示で独立した独立表示グループになっている。Ｂグループは、個別の連続性を有するパターン群を前記絵柄として有する連続表示グループになっている。回転ドラム１３１は、Ａグループがリーフ式表示機１００ａの正面の表示位置に来る場合、高速で回転し、複数の表示板１３２ａ０１、１３２ａ０２…１３２ａ１７による絵柄を遊技者が肉眼で確認できないようにし、Ｂグループがリーフ式表示機１００ａの正面の表示位置に来る場合、低速で回転し、複数の表示板１３２ａ１７、１３２ａ１８…１３２ａ３２、１３２ａ０１による連続絵柄を遊技者がアニメーションとして肉眼で確認できるようにしている。【選択図】  図７
2007236582.tif 000002
【特許請求の範囲】
【請求項１】
回転駆動手段で回転されている円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機であって、
前記複数の表示板は、前記回転ドラムの円周上で連続する組み合わせで複数のグループに組分けされ、これら複数のグループには、それぞれのグループにおいて前記絵柄の形状が前後の表示で連続性を有する連続表示グループと、それぞれのグループにおいて前記絵柄の形状が前後の表示で独立した独立表示グループがあり、前記回転駆動手段は、前記連続表示グループが前記表示位置を通過する場合と前記独立表示グループが前記表示位置を通過する場合とで個別の回転速度で回転ドラムを回転制御することを特徴とするリーフ式表示機。
【請求項２】
回転駆動手段で回転されている円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機であって、
前記複数の表示板は、前記回転ドラムの円周上で連続する組み合わせで複数のグループに組分けされ、それぞれのグループにおいて個別のアニメーションパターンを前記絵柄として有し、前記回転駆動手段は、複数の前記グループが前記表示位置を順次通過する場合に、複数の前記グループに対してそれぞれ個別の回転速度で前記回転ドラムを回転制御することを特徴とするリーフ式表示機。
【発明の詳細な説明】
【技術分野】
【０００１】
本発明は、パチンコ台やスロットマシンなどの遊技機に用いられ表示板で絵柄を表示するリーフ式表示機に関する。
【背景技術】
【０００２】
従来、パチンコ台やスロットマシンなどの遊技機の表示装置としては、ＬＣＤやＬＥＤによるドットマトリックス式の画像表示装置、回転するリールの周面に絵柄を印刷した回胴式表示装置、表示板で絵柄を表示するリーフ式表示機などが知られている。このうちリーフ式表示機は、ドットマトリックス表示素子に比べて安価で、回胴式表示機構に比べて小形にできる利点を有している。
【０００３】
従来のリーフ式表示機は、例えば特許文献１に示されているように、駆動手段で回転されている円筒状の回転ドラムの外周に複数の表示板を回転自在に支持し、表示面を構成する上下一対の表示板のうち上側の表示板を表示位置にストッパで係止した状態で、前記回転ドラムを任意の位置で停止させることにより表示位置に位置する上下一対の表示板で絵柄を表示する。さらに詳細に説明すると、このような従来のリーフ式表示機において、上下一対の表示板で絵柄を表示する場合には、前記ストッパが当該表示板の上縁部を係止し、前記表示板による表示の変更を行う場合には、前記回転ドラムを所定角度回転させ、現在表示中の上側の表示板を弾性変形させることで当該表示板の上縁部を前記ストッパから外し、当該表示板を前回りで下方に回動落下させるとともに、後続の表示板の上縁部を前記ストッパで係止する。
【０００４】
さらに、従来のリーフ式表示機の技術としては、例えば特許文献２に示されているように、回転体の回転ドラムを回転駆動することにより、動きに連続性のある絵柄（例えば、連続したアニメーションポーズ）の描かれた表示板を一定間隔でパラパラと勢いよくめくりパラパラアニメーション表示を行い、これにより連続アニメーションによる視覚的な演出を行うことが提案されている。
【０００５】
【特許文献１】特開平８−１１２４００号公報
【特許文献２】特開２００５−０１０３３１号公報
【発明の開示】
【発明が解決しようとする課題】
【０００６】
しかしながら、上述した従来のリーフ式表示機によれば、表示板を用いた連続アニメーションによる視覚的な演出は、一様な変動表示を繰り返すだけなので、遊技者に飽きられやすいといった問題があった。
【０００７】
本発明は、こうした従来の問題に鑑みてなされたものであり、表示板を用いた視覚的な演出を多彩にすることができるリーフ式表示機を提供することを目的としている。
【課題を解決するための手段】
【０００８】
上述した課題を解決するため、請求項1に記載の発明は、回転駆動手段で回転されている円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機であって、前記複数の表示板は、前記回転ドラムの円周上で連続する組み合わせで複数のグループに組分けされ、これら複数のグループには、それぞれのグループにおいて前記絵柄の形状が前後の表示で連続性を有する連続表示グループと、それぞれのグループにおいて前記絵柄の形状が前後の表示で独立した独立表示グループがあり、前記回転駆動手段は、前記連続表示グループが前記表示位置を通過する場合と前記独立表示グループが前記表示位置を通過する場合とで個別の回転速度で回転ドラムを回転制御することを特徴とする。
【０００９】
請求項２に記載の発明は、回転駆動手段で回転されている円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機であって、前記複数の表示板は、前記回転ドラムの円周上で連続する組み合わせで複数のグループに組分けされ、それぞれのグループにおいて個別のアニメーションパターンを前記絵柄として有し、前記回転駆動手段は、複数の前記グループが前記表示位置を順次通過する場合に、複数の前記グループに対してそれぞれ個別の回転速度で前記回転ドラムを回転制御することを特徴とする。
【００１０】
請求項１に記載のリーフ式表示機によれば、前記回転駆動手段は、前記連続表示グループが前記表示位置を通過する場合と前記独立表示グループが前記表示位置を通過する場合とで個別の回転速度で回転ドラムを回転制御するので、表示板を用いた視覚的な演出を多彩にすることができる。
【００１１】
請求項２に記載のリーフ式表示機によれば、前記回転駆動手段は、それぞれ個別のアニメーションパターンを絵柄として有する複数の前記グループが前記表示位置を順次通過する場合に、複数の前記グループに対してそれぞれ個別の回転速度で前記回転ドラムを回転制御するので、表示板を用いた視覚的な演出を多彩にすることができる。
【発明の効果】
【００１２】
本発明のリーフ式表示機によれば、表示板を用いた視覚的な演出を多彩にすることができ、遊技者が遊技に対して飽きや倦怠感を感じにくくする等を行える。
【発明を実施するための最良の形態】
【００１３】
以下、本発明に係るリーフ式表示機の好適な一実施形態をパチンコ機を例に図面を参照して説明する。尚、図１は、パチンコ機１の表側側の外観構造を表した正面図、図２は、パチンコ機１の裏面側の構造を表した図である。
【００１４】
図１において、パチンコ機１は、機枠又は機体として所定の外郭方形枠サイズに構成された固定保持用の外枠２と、この外枠２の前側に設けられ、この外枠２に合わせて方形枠サイズに構成された前枠３とを備えている。
【００１５】
前枠３は、正面左側上下部に配設された開閉連結支持機構４ａ、４ｂを介して外枠２に開閉（片持ち横開き）可能に組付けるとともに、正面右側内部に配設された施錠装置５を利用して閉鎖状態に保持されている。
【００１６】
前枠３の正面側には、前枠３の前側面域に合わせた方形状のガラス扉６及び上球皿７が共に横開き開閉及び着脱が可能に組付けられており、施錠装置５および図示しないロック機構を利用して前枠３の前面を覆う閉止状態で保持されている。
【００１７】
上球皿７には、払い出された遊技球を貯留して整列させる球皿部７ａが設けられるとともに、球皿部７ａに貯留する遊技球を下球皿８に排出させる球抜きレバー７ｂが設けられている。球皿部７ａの左下側には演出用の放音部７ｃが設けられている。
【００１８】
また、前枠３の下部には、球皿部８ａおよび球出口８ｂを有する下球皿８が設けられ、この下球皿８と並んで打球発射装置９が設けられている。打球発射装置９には遊技球の発射操作を行う操作ハンドル９ａが取り付けられている。
【００１９】
前枠３の裏側には、この前枠３と一体に方形枠状の収容枠１０（図２参照）が成形されている。
【００２０】
さらに、前枠３には、パチンコゲームを展開し得る遊技盤１１が、前記収容枠１０（図２参照）の収容面域に対して着脱交換可能にセット保持されている。遊技盤１１は、前面の遊技領域１２を前記ガラス扉６の正面に臨ませており、前枠３の裏側に裏機構１３（図２参照）を装備している。
【００２１】
遊技盤１１は、所定板厚の積層合板の表面にセルが貼り付けられた化粧板１４の前面側に、ステンレス鋼板等を利用した帯状の外レール１６ａおよび内レール１６ｂ（これらを合わせて案内レール１５と称する）が固設され、この案内レール１５に囲まれた内側に遊技領域１２が区画されている。
【００２２】
遊技領域１２内には、多数本の遊技釘とともに、複数の風車、一般入賞具１７や始動入賞具１８並びにアタッカー入賞具１９などの入賞具、図柄表示装置１００などが設けられている。
【００２３】
図柄表示装置１００は、向かって左から順にリーフ式表示機１００ａ、１００ｂ、１００ｃが並べられている。
【００２４】
一般入賞具１７は、遊技球が落入可能な入賞孔を有し、ここに入賞した遊技球を検出する入賞球検出センサ（具体的には、遊技球の通過を磁気的、光学的または電気的手段等により検出するセンサ）が取り付けられている。
【００２５】
始動入賞具１８は、いわゆる電動チューリップ構成の入賞具からなり、左右のチューリップ羽根１８ａ、１８ｂを開閉させることができる。この始動入賞具１８にも入賞した遊技球を検出する入賞球検出センサが取り付けられる。
【００２６】
アタッカー入賞具１９は、中央に横長方形状の開口からなる大入賞口を有し、この大入賞口を開閉自在に覆って開閉扉１９ａが取り付けられている。開閉扉１９ａは通常閉止されており、遊技中において所定の遊技条件の下で特別遊技状態が成立したときに、開閉扉１９ａが前方にほぼ９０度倒されて大入賞口が開放されている。このアタッカー入賞具１９の大入賞口内にも入賞球検出センサが取り付けられる。
【００２７】
一般入賞具１７、始動入賞具１８及びアタッカー入賞具１９の後側には化粧板１４を貫通するセーフ球通路孔（不図示）が設けられている。一般入賞具１７、始動入賞具１８及びアタッカー入賞具１９に入賞したセーフ球はセーフ球通路孔を通って遊技盤１１の裏面側に排出されている。
【００２８】
遊技領域１２の最下部には、入賞具１７、１８、１９に入賞せずに落下したアウト球を集合して排出させるアウト口２０が設けられている。アウト口２０の後側には化粧板１４を貫通してアウト球通路孔が形成されており、アウト口２０に集められたアウト球がアウト球通路孔を通って遊技盤１１の裏面側に排出されている。
【００２９】
次に、パチンコ機１の裏面側の構造について詳細に説明する。
【００３０】
図２において、遊技盤１１は、収容枠１０の収容面域の内法に合わせた方形サイズで収容枠１０の裏側から着脱可能に形成されている。また、遊技盤１１は、収容枠１０の収容面域の周囲に配設された係合レバー２１ａ、２１ｂ、２１ｃで固定保持されているようになっている。
【００３１】
収容枠１０は、遊技盤１１をセット保持したときに、遊技盤１１の前面が閉鎖状態にあるガラス扉６（図１参照）のガラス板と所定間隔をおいて対向するように構成されており、遊技盤面とガラス板内面との間に遊技球が落下移動する遊技領域空間が形成されている。
【００３２】
また、前枠３の裏側下部には打球発射装置９が取り付けられ、前枠３における収容枠１０の下部に前枠３と一体に遊技補助盤２２が形成されている。なお、遊技補助盤２２の表側には打球発射装置９のハンマーと位置整合して遊技球を遊技盤の外レール１６ａ（図１参照）に向けて発射する発射レールや、放音部７ｃに向けて効果音を発生するスピーカ等が取り付けられている。また、遊技補助盤２２は、上球皿７の裏側に位置し、通常閉鎖状態に保持されている上球皿７によりその表面側が覆われている。
【００３３】
収容枠１０の裏側には、球貯留供給機構３０や賞球払出機構４０等を有する裏セット盤５０がヒンジ５１ａ、５１ｂにより横開き可能となって前枠３の裏側に支持されている。裏セット盤５０は、前枠３の裏面を覆う閉止状態で閉止レバー５２ａ、５２ｂ、５２ｃにより前枠３に係止保持されているようになっている。
【００３４】
球貯留供給機構３０は、基本的な構成として、予備賞球用のタンク部材３１、タンク部材３１内に貯留された予備賞球を整列して供給させる整列樋部材３２、遊技機の作動状態を遊技施設側に出力するためのターミナル制御部３３や、その他の関連機構・部材等が装備されて構成されている。
【００３５】
整列樋部材３２は、タンク部材３１から供給された予備賞球を整列状に収容して下端の変向出口３４に送出し得るようになっている。
【００３６】
ターミナル制御部３３では、図示しないが遊技ホール側からの電源、パチンコゲーム内容の情報、球切れ情報等に係る必要な回路、デバイス及び電線（コード）用コネクタ、アース端子等が配置、接続されている。
【００３７】
賞球払出機構４０は、裏セット盤５０の盤本体をなす開閉基枠体４１に、球貯留供給機構３０の変向出口３４に繋がる球切れ検出スイッチ４２、変向出口３４から送出されている賞球を整列待機通路に整列待機させる整列待機通路部材４３、整列待機通路部材４３からの賞球を受け取り所定の払出条件に基づいて払い出す賞球カセット４４、賞球カセット４４から排出された賞球を球皿側へ排出する賞球排出経路、これらの関連機構・部材等が設けられて構成されている。
【００３８】
球切れ検出スイッチ４２は、賞球として払い出すに充分な予備賞球が整列待機通路部材４３に保持されているか否かを検出するためのものである。
【００３９】
なお、この開閉基枠体４１は、遊技済み球（セーフ球とアウト球）の集合排出経路が設けられるとともに、球貯留供給機構３０に一体に繋がっており、裏セット盤５０は、球貯留供給機構３０、賞球払出機構４０及び開閉基枠体４１を含めた全体がユニット化されたセット部材として構成されている。
【００４０】
さらに、裏セット盤５０の各部には、このパチンコ機１の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、図柄表示装置１００（図１参照）用の表示制御基板９６等が設けられている。
【００４１】
次に、パチンコ機１におけるゲーム動作の概要を説明する。
【００４２】
パチンコ機１は、上球皿７およびガラス扉６が閉止施錠された状態で遊技に供され、球皿部７ａに遊技球を貯留させて操作ハンドル９ａの操作レバーを回動操作することにより遊技が開始されている。操作ハンドル９ａの操作レバーが回動操作されていると、球皿部７ａに貯留する遊技球が図示しない球送り装置によって１球ずつ発射レール上に送り出され、打球発射装置９のハンマーに打ち出されて遊技盤１１の外レール１６ａに沿って遊技領域１２に導かれ、以降パチンコゲームが展開されている。
【００４３】
遊技領域１２に導かれた遊技球が各入賞具１７、１８、１９に入賞すると、各入賞具に取り付けられた入賞球検出センサによって入賞したセーフ球が検出され、その入賞具の種類や遊技状況に応じた所定数の賞球が賞球払出機構４０から上球皿７もしくは下球皿８に払い出されている。また、遊技盤１１の前面側の図柄表示装置１００のリーフ式表示機１００ａ、１００ｂ、１００ｃは、遊技盤１１の裏面側に取り付けられた表示制御基板９６により制御されて前述の遊技状況に応じた種々の表示がなされている。
【００４４】
一方、遊技領域１２に導かれた遊技球が入賞具１７、１８、１９に入賞せずに落下すると、アウト球としてアウト口２０に集合し、アウト球通路孔を通って遊技盤１１の裏面側に排出されている。
【００４５】
次に図柄表示装置１００のリーフ式表示機１００ａについて図面を参照して詳細に説明する。
【００４６】
図３はリーフ式表示機１００ａの分解斜視図、図４はリーフ式表示機１００ａの斜視図、図５はリーフ式表示機１００ａの正面図、図６はリーフ式表示機１００ａの側方から見た断面図、図７はリーフ式表示機１００ａの表示板の連続表示グループと独立表示グループを説明する説明図、図８はリーフ式表示機１００ａを制御する回路系統を示すブロック図、図９はリーフ式表示機１００ａの動作を説明する説明図である。
【００４７】
図３において、リーフ式表示機１００ａは、ケース１０１と、回転駆動部１０２と、回転位置検出センサ１０３と、リーフ式表示機構部１０４と、ストッパ機構部１０５とから構成されている。
【００４８】
ケース１０１は、ケース本体１１１と側面板１１２とを備えている。
【００４９】
回転駆動部１０２は、ステッピングモータ１２１と、ピニオンギア１２２と、スパーギア１２３と、このスパーギア１２３が取り付けられた回転軸１２４とを備えている。
【００５０】
リーフ式表示機構部１０４は、回転ドラム１３１と、複数の表示板１３２ａ０１、１３２ａ０２、１３２ａ０３…１３２ａ３２とを備えている。
【００５１】
ストッパ機構部１０５は、ストッパ１４１と、回転軸１４２と、軸受け部材１４３ａ、１４３ｂと、ソレノイド１４４とを備えている。
【００５２】
以下、ケース１０１について詳細に説明する。
【００５３】
ケース１０１のケース本体１１１は、前面及び右側面が開口した形状に形成されている。ケース本体１１１の右側面の開口は、側面板１１２によって閉塞されているようになっている。
【００５４】
ケース本体１１１の後壁１５１には貫通孔１５２ａ、１５２ｂが形成されている。ネジ１５３ａ、１５３ｂは、それぞれのネジ部が後壁１５１の外面側から貫通孔１５２ａ、１５２ｂに挿入し、ステッピングモータ１２１のネジ止部１２５に形成されたネジ穴に螺入することで、図６に示すように、ステッピングモータ１２１を後壁１５１の内面側にネジ止め固定する。
【００５５】
さらに、図３において、ケース本体１１１の後壁１５１には、ステッピングモータ１２１の配線１２６及び回転位置検知センサ１０３の配線１８１を通すための貫通孔１５２ｃが形成されている。
【００５６】
ケース本体１１１の左側の側壁１５４の１／２の高さの位置には軸受け１５５ａ、１５６ａが前後に並べて設けられている。軸受け１５５ａには、リーフ式表示機構部１０４の回転ドラム１３１の回転軸１３３の左端が挿入されているようになっている。軸受け１５６ａには、回転駆動部１０２のスパーギア１２３用の回転軸１２４の左端が挿入されているようになっている。
【００５７】
側面板１１２の１／２の高さの位置には、軸受け１５５ｂ、１５６ｂが前後に並べて設けられている。軸受け１５５ｂには、リーフ式表示機構部１０４の回転ドラム１３１の回転軸１３３の右端が挿入されているようになっている。軸受け１５６ｂには、回転駆動部１０２のスパーギア１２３用の回転軸１２４の右端が挿入されているようになっている。
【００５８】
側面板１１２の軸受け１５６ｂの上側位置には貫通孔１５７が形成されている。ネジ１５８は、そのネジ部が側面板１１２の外面側から貫通孔１５７に挿入し、回転位置検出センサ１０３に形成されたネジ穴１８２に螺入することで、図５に示すように、回転位置検出センサ１０３を側面板１１２の内面側にネジ止め固定する。
【００５９】
さらに、図３において、側面板１１２の四隅近傍には、貫通孔１６０ａ、１６０ｂ、１６０ｃ、１６０ｄが形成されている。ケース本体１１１の右端面には、ネジ穴１６１ａ、１６１ｂ、１６１ｃ、１６１ｄが形成されている。
【００６０】
ネジ１６２ａ、１６２ｂ、１６２ｃ、１６２ｄは、それぞれのネジ部が側面板１１２の貫通孔１６０ａ、１６０ｂ、１６０ｃ、１６０ｄに挿入し、ケース本体１１１のネジ穴１６１ａ、１６１ｂ、１６１ｃ、１６１ｄに螺入することで、ケース本体１１１の左側面に側面板１１２をネジ止め固定するようになっている。ケース１０１は、図４及び図５に示すように、ケース本体１１１に側面板１１２をネジ止め固定した状態で、前面に表示窓１１３を形成する。
【００６１】
図３において、ケース本体１１１の上壁１７１の前側中央部には、ストッパ機構部１０５を配置するための切欠き１７２が形成されている。上壁１７１の前端面の切欠き１７２が形成された部分の左右には、ネジ穴１７３ａ、１７３ｂが形成されている。
【００６２】
ストッパ機構部１０５の軸受け部材１４３ａ、１４３ｂには貫通孔１４５ａ、１４５ｂが形成されている。
【００６３】
ネジ１７４ａ、１７４ｂは、それぞれのネジ部が軸受け部材１４３ａ、１４３ｂの貫通孔１４５ａ、１４５ｂに挿入し、ケース本体１１１の切欠き１７２のネジ穴１７３ａ、１７３ｂに螺入することで、軸受け部材１４３ａ、１４３ｂを切欠き１７２にねじ止め固定する。軸受け部材１４３ａ、１４３ｂは、回転軸１４２の左右両端を回転可能な状態で軸支する。
【００６４】
ケース本体１１１の上壁１７１の上面における切欠き１７２の後ろ側の位置には、ブラケット１７５が上方に突出して設けられている。
【００６５】
ブラケット１７５には貫通孔１７６ａ、１７６ｂが上下に並べて形成されている。ネジ１７７ａ、１７７ｂは、それぞれのネジ部がブラケット１７５の後方から貫通孔１７６ａ、１７６ｂに挿入し、ソレノイド１４４に形成されたネジ穴に螺入することで、図６に示すように、ソレノイド１４４を上壁１７１のブラケット１７５にネジ止め固定する。
【００６６】
以下、回転駆動部１０２について詳細に説明する。
【００６７】
図３において、ステッピングモータ１２１の回転軸には、ピニオンギア１２２が取り付け固定されている。
【００６８】
回転軸１２４の右端近傍にはスパーギア１２３が取り付けられている。回転軸１２４は、リーフ式表示機１００ａが組み立てられた状態で、ケース本体１１１の軸受け１５６ａ及び側面板１１２の軸受け１５６ｂによって回転自在に軸支されている。
【００６９】
スパーギア１２３は、リーフ式表示機１００ａが組み立てられた状態で、図６に示すように、ステッピングモータ１２１のピニオンギア１２２と噛み合う。
【００７０】
このような構造により、ステッピングモータ１２１の回転軸が回転すると、スパーギア１２３は、ステッピングモータ１２１からの動力を減速させてトルクアップして回転する。
【００７１】
次に、リーフ式表示機構部１０４について詳細に説明する。
【００７２】
図３において、リーフ式表示機構部１０４の円筒状の回転ドラム１３１は、円筒部１９１の中心軸上に回転軸１３３を有し、円筒部１９１の左端外周にフランジ部１９２が突出形成され、円筒部１９１の右端外周にファイナルギア１９３が取り付け固定されている。
【００７３】
回転軸１３３は、リーフ式表示機１００ａが組み立てられた状態で、ケース本体１１１の軸受け１５５ａ及び側面板１１２の軸受け１５５ｂによって回転自在に軸支されている。
【００７４】
回転ドラム１３１のファイナルギア１９３は、スパーギア１２３と同径かつ同歯数で形成されており、リーフ式表示機１００ａが組み立てられた状態で、図６に示すように、回転駆動部１０２のスパーギア１２３と噛み合う。
【００７５】
このような構造により、回転駆動部１０２のステッピングモータ１２１が回転すると、回転ドラム１３１は、ステッピングモータ１２１からの動力を減速させてトルクアップして回転する。
【００７６】
図３において、フランジ部１９２及びファイナルギア１９３には、例えば３２個の支持孔１９４（図６参照）が同心円上に沿って等間隔毎に形成されている。
【００７７】
複数の表示板１３２ａ０１、１３２ａ０２、１３２ａ０３…１３２ａ３２は、弾性を有する樹脂製の薄板からなり、一側の両側には支持孔１９４（図６参照）に回転可能に嵌合する軸片部１９５（図５参照）が突出形成されているとともに、一側のみには係合片部１９６が突出形成されている。そして、各表示板１３２ａ０１、１３２ａ０２、１３２ａ０３…１３２ａ３２は、回転ドラム１３１のフランジ部１９２及びファイナルギア１９３間に挿入されているとともに両側の軸片部１９５がフランジ部１９２及びファイナルギア１９３の対向する支持孔１９４にそれぞれ嵌合されて回動自在に支持され、回転ドラム１３１の下部域においては自重により垂直に垂れ下がり、上部域においては係合片部１９６がフランジ部１９２の外周面に当接して回転ドラム１３１と共に回転移動されている。また、表示板１３２ａ０１、１３２ａ０２、１３２ａ０３…１３２ａ３２の表裏面には、近接する一対の表示板の表面と裏面とを１組として１つの例えば数字などの絵柄が印刷により表示されており、全体として３２個の絵柄を表示できる。
【００７８】
以下、ストッパ機構部１０５について詳細に説明する。
【００７９】
ストッパ機構部１０５のストッパ１４１は、例えばステンレス鋼のような強度の高い金属製の薄板を上下方向に長い長方形に形成されたものであり、上部に左右両側に突出する回転軸１４２が設けられている。回転軸１４２はケース本体１１１の切欠き１７２に固定された軸受け部材１４３ａ、１４３ｂにより回転可能な状態で保持されているようになっている。ストッパ１４１の前面には舌片２０１（図６参照）が設けられている。舌片２０１は、ピン２０２を介してソレノイド１４４のプランジャ（可動鉄心）２０３に連結されている。プランジャ２０３の垂直方向運動は、ストッパ１４１の回転運動に変換されている。前記ストッパ１４１は、図９に示すように、ソレノイド１４４のプランジャ２０３が上方に移動すると、前方側に回転し、前記表示板１３２ａ０１、１３２ａ０２、１３２ａ０３…１３２ａ３２の回転軌跡の外側に退避する。前記ストッパ１４１は、図６に示すように、ソレノイド１４４のプランジャ２０３が下方に移動すると、後方側に回転し、前記ストッパ１４１を前記表示板１３２ａ０１、１３２ａ０２、１３２ａ０３…１３２ａ３２の係止位置に移動する。
【００８０】
次に、回転位置検出センサ１０３について詳細に説明する。
【００８１】
図３において、スパーギア１２３の左側の面には、回転位置検出センサ１０３により回転位置を検出するための回転位置検出用インデックス２１０（図６参照）が設けられている。  回転位置検出センサ１０３は、例えば磁気センサを用い、回転位置検出用インデックス２１０には、永久磁石によるチップを用いている。回転位置検出センサ１０３は、Ｌ字状に形成され、検出部１８３がスパーギア１２３の左側に延び出している。回転位置検出センサ１０３は、回転位置検出用インデックス２１０を検出部１８３で検出することで、スパーギア１２３が特定の回転位置に来たことを検出している。
【００８２】
次に、リーフ式表示機１００ａの連続表示グループと独立表示グループについて詳細に説明する。
【００８３】
図７において、複数の表示板１３２ａ０１、１３２ａ０２、１３２ａ０３…１３２ａ３２は、前記回転ドラム１３１の円周上で連続する組み合わせで複数のグループに組分けされている。より具体的に説明すると、複数の表示板１３２ａ０１、１３２ａ０２、１３２ａ０３…１３２ａ３２は、表示板１３２ａ０１の裏面から図に向かって右回りに回って表示板１３２ａ１７の表面までのＡグループと、表示板１３２ａ１７の裏面から図に向かって右回りに回って表示板１３２ａ０１の表面までのＢグループに組分けされている。
【００８４】
Ａグループは、前記絵柄の形状が前後の表示で独立した独立表示グループとなっており、絵柄２１１（図４及び図５参照）に示す７の様な数字、文字や、チェリー、スイカなどの単独の物の絵柄を表示するグループになっている。
【００８５】
Ｂグループは、前記絵柄の形状が前後の表示で連続性を有する連続表示グループになっており、例えば表示板１３２ａ０１の表側と１３２ａ３２の裏側で表示される人が走る状態の絵柄２１２に連続するアニメーションの絵柄を表示している。
【００８６】
次に、リーフ式表示機１００ａを制御する回路構成について詳細に説明する。
【００８７】
図８において、リーフ式表示機１００ａは、電気回路系統として、ステッピングモータ１２１と、ソレノイド１４４と、回転位置検出センサ１０３を備えている。
【００８８】
表示制御基板９６は、リーフ式表示機１００ａの全体動作を集中制御するＣＰＵ（マイコン）３０１と、記憶部としてのＲＯＭ３０２及びＲＡＭ３０３と、モータ駆動回路３０４と、ソレノイド駆動回路３０５とを備えている。表示制御基板９６は、図３に示した回転駆動部１０２とともに回転ドラム１３１の回転駆動制御を行う回転駆動制御手段を構成している。
【００８９】
図８において、表示制御基板９６のＣＰＵ３０１は、回転位置検出センサ１０３と、パチンコ機１（図２参照）の主制御基板９１と、ＲＯＭ３０２と、ＲＡＭ３０３と、モータ駆動回路３０４と、ソレノイド駆動回路３０５が接続されている。
【００９０】
ＣＰＵ３０１は、ＲＯＭ３０２に格納された制御プログラム、パチンコ機１の主制御基板９１からのコマンドデータ、回転位置検出センサ１０３の検出結果に基づいて必要なデータをＲＡＭ３０３に記憶し、モータ駆動回路３０４と、ソレノイド駆動回路３０５の制御を行う。
【００９１】
モータ駆動回路３０４は、ＣＰＵ３０１からの制御に基づいてステッピングモータ１２１にパルス信号を供給し、ステッピングモータ１２１の回転軸を決められた角度だけ回転させる。
【００９２】
ソレノイド駆動回路３０５は、ＣＰＵ３０１からの制御に基づいてソレノイド１４４のコイルに駆動電流を流し、ソレノイド１４４のプランジャ２０３（図９参照）を上方に移動させる。また、ソレノイド１４４は、ソレノイド駆動回路３０５から駆動電流が供給させない状態では、内蔵したばねの反発力により、プランジャ２０３が下方に移動する。
【００９３】
また、ＣＰＵ３０１は、図７に示す連続表示グループのＢグループと独立表示グループのＡグループとで個別の回転速度で回転ドラム１３１を回転制御する。より具体的には、ＣＰＵ３０１は、Ａグループがリーフ式表示機１００ａの正面の表示位置に来る場合、回転ドラム１３１を高速で回転させ、回転中に複数の表示板１３２ａ０１、１３２ａ０２…１３２ａ１７の絵柄を遊技者が肉眼で確認できないようにし、Ｂグループがリーフ式表示機１００ａの正面の表示位置に来る場合、回転ドラム１３１を低速で回転させ、回転中に複数の表示板１３２ａ１７、１３２ａ１８…１３２ａ３２、１３２ａ０１の絵柄を遊技者がアニメーションとして肉眼で確認できるようにしている。
【００９４】
ＣＰＵ３０１は、ステッピングモータ１２１の回転開始から回転停止の所定期間前までの期間において、表示位置にある上下一対の表示板（図５の場合、表示板１３２ａ０２、１３２ａ０１）を切り換える際に、ソレノイド１４４のプランジャ２０３を上方に移動させ、前記ストッパ１４１（図９参照）を前記表示板１３２ａ０１、１３２ａ０２、１３２ａ０３…１３２ａ３２（図９参照）の回転軌跡の外側に退避させる。
【００９５】
尚、表示制御基板９６は、リーフ式表示機１００ｂ、１００ｃに対してもリーフ式表示機１００ａと同様の制御を行っている。
【００９６】
このような構成により、リーフ式表示機１００ａは、回転駆動部１０２で回転されている円筒状の回転ドラム１３１の外周に複数の表示板１３２ａ０１、１３２ａ０２、１３２ａ０３…１３２ａ３２を回転自在に支持し、表示面を構成する上下一対の前記表示板１３２ａ０１、１３２ａ０２、１３２ａ０３…１３２ａ３２のうち上側の表示板を表示位置にストッパ１４１で係止した状態で、前記回転ドラム１３１を任意の位置で停止させることにより前記表示位置に位置する上下一対の表示板で絵柄を表示する。
【００９７】
また、回転駆動部１０２及び表示制御基板９６は、連続表示グループと独立表示グループとで個別の回転速度で回転ドラム１３１を回転制御する。
【００９８】
尚、本実施形態では、独立表示グループと連続表示グループを一つずつ設けたが、独立表示グループと連続表示グループはいずれも２つ以上設けることが可能で、これら追加した表示グループでも個別の回転速度で回転ドラム１３１を回転制御することが可能である。
【００９９】
以下のリーフ式表示機リーフ式表示機１００ａ、１００ｂ、１００ｃの動作について説明する。
【０１００】
まず、機械セット時や電源投入時に、表示制御基板９６は、ソレノイド１４４を制御し、図９に示すように、ストッパ１４１を表示板１３２ａ０１、１３２ａ０２、１３２ａ０３…１３２ａ３２の回転軌跡の外側に退避させる。次に、表示制御基板９６は、ステッピングモータ１２１をテスト回転させ、スパーギア１２３及び回転ドラム１３１を回転させることで、回転位置検出センサ１０３にスパーギア１２３の回転位置検出用インデックス２１０を検出させ、回転ドラム１３１の回転基準位置を検知する。この後、表示制御基板９６は、前記回転基準位置を基準とし、この位置からステッピングモータ１２１に何個のパルスを供給したかで回転ドラム１３１の回転位置を把握し、ステッピングモータ１２１の回転制御を行う。
【０１０１】
この後、表示制御基板９６は、前記ストッパ１４１を前記表示板１３２ａ０１、１３２ａ０２、１３２ａ０３…１３２ａ３２の係止位置に移動させる。次に、ＣＰＵ３０１は、回転ドラム１３１の停止位置が隣接する支持孔１９４の中間部が表示窓１１３ の上下方向中心に対応して位置するように、すなわち表示板１３２ａ０１、１３２ａ０２、１３２ａ０３…１３２ａ３２の内、表示位置の上下一対の表示板（図５の場合、表示板１３２ａ０２、１３２ａ０１）が表示窓１１３ に臨むように、ステッピングモータ１２１の駆動停止制御を行う。
【０１０２】
この回転ドラム１３１が停止している状態においては、上側の表示板（図５の場合、表示板１３２ａ０２）がストッパ１４１で係止され、表示位置に位置する上下一対の表示板（図５の場合、表示板１３２ａ０２、１３２ａ０１）が垂直で平面的に配置され、前方から表示窓１１３ を通じて上下一対の表示板（図５の場合、表示板１３２ａ０２、１３２ａ０１）を１組として１つの絵柄２１１（図４及び図５参照）が表示されている。
【０１０３】
そして、パチンコ機１の利用時、遊技盤１１の遊技領域１２上に打ち出された遊技球が各入賞具１７、１８、１９に入賞すると、主制御基板９１からの動作スタートのコマンドデータが表示制御基板９６に入力されて、リーフ式表示機１００ａ、１００ｂ、１００ｃが動作を開始する。
【０１０４】
そして、全てのリーフ式表示機１００ａ、１００ｂ、１００ｃにおいて、表示制御基板９６は、前記ストッパ１４１を前記表示板１３２ａ０１、１３２ａ０２、１３２ａ０３…１３２ａ３２の回転軌跡の外側に退避させ、ステッピングモータ１２１を駆動し、スパーギア１２３及び回転ドラム１３１を回転させる。この回転ドラム１３１の回転により、表示位置の上側に位置する表示板（図９の場合、表示板１３２ａ０２）が前回りで下方に回動落下する。この後、前記ストッパ１４１を前記表示板１３２ａ０１、１３２ａ０２、１３２ａ０３…１３２ａ３２の係止位置（図６参照）に移動させ、一枚の表示板（図９の場合、表示板１３２ａ０２）が回動落下中に後続の表示板が回動落下しないように前記ストッパ１４１により係止させる。そして、表示窓１１３ に上下一対の表示板が一時的に表示された後、表示制御基板９６は、前記ストッパ１４１を前記表示板１３２ａ０１、１３２ａ０２、１３２ａ０３…１３２ａ３２の回転軌跡の外側に退避させ、次の表示板を前回りで下方に回動落下させる。このような、各表示板１３２ａ０１、１３２ａ０２、１３２ａ０３…１３２ａ３２の動作が回転ドラム１３１の回転中に連続して行なわれる。
【０１０５】
このような回転中において、回転ドラム１３１は、図７に示すＡグループがリーフ式表示機１００ａの正面の表示位置に来る場合、高速で回転し、複数の表示板１３２ａ０１、１３２ａ０２…１３２ａ１７による絵柄を遊技者が肉眼で確認できないようにし、Ｂグループがリーフ式表示機１００ａの正面の表示位置に来る場合、低速で回転し、複数の表示板１３２ａ１７、１３２ａ１８…１３２ａ３２、１３２ａ０１による連続絵柄を遊技者がアニメーションとして肉眼で確認できるようにしている。
【０１０６】
この後、表示制御基板９６は、回転ドラム１３１の回転を停止する所定期間前に、前記ストッパ１４１を前記表示板１３２ａ０１、１３２ａ０２、１３２ａ０３…１３２ａ３２の係止位置（図６参照）に移動させる。
【０１０７】
次に、ＣＰＵ３０１は、表示を意図する後続の上下一対の表示板が表示窓１１３に臨むように、ステッピングモータ１２１の駆動停止制御を行う。この状態で上側の表示板は、ストッパ１４１に係止し、表示窓１１３ に後続の上下一対の表示板が表示させる。
【０１０８】
かかる構成のリーフ式表示機１００ａ、１００ｂ、１００ｃによれば、回転駆動部１０２及び表示制御基板９６が、前記絵柄の形状が前後の表示で連続性を有する連続表示グループと前記絵柄の形状が前後の表示で独立した独立表示グループとで個別の回転速度で回転ドラム１３１を回転制御するので、表示板を用いた視覚的な演出を多彩にすることができ、遊技者が遊技に対して飽きや倦怠感を感じにくくする等を行える。
【０１０９】
尚、図１乃至図９に示した実施形態では、前記回転駆動手段が個別の回転速度で回転ドラムを回転制御することグループとして、連続表示グループと独立表示グループとの二つの種類を用いたが、個別の回転速度で回転ドラムを回転制御する複数のグループとして、それぞれのグループにおいて個別のアニメーションパターンを前記絵柄として有する複数の連続表示グループのみを用い、前記回転駆動手段は、複数の前記グループが前記表示位置を順次通過する場合に、複数の前記グループに対してそれぞれ個別の回転速度で前記回転ドラムを回転制御するように構成してもよい。
【産業上の利用可能性】
【０１１０】
本発明は、パチンコ機用のリーフ式表示機に限らず、スロットマシン用等その他の遊技機に用いられるリーフ式表示機にも応用することができる。
【図面の簡単な説明】
【０１１１】
【図１】図１は、本発明の一実施形態によるパチンコ機の表側側の外観構造を表した正面図である。
【図２】図２は、本発明の一実施形態によるパチンコ機の裏面側の構造を表した図である。
【図３】図３は、本発明の一実施形態によるリーフ式表示機の分解斜視図である。
【図４】図４は、本発明の一実施形態によるリーフ式表示機の斜視図である。
【図５】図５は、本発明の一実施形態によるリーフ式表示機の正面図である。
【図６】図６は、本発明の一実施形態によるリーフ式表示機の側方から見た断面図である。
【図７】図７は、本発明の一実施形態によるリーフ式表示機の表示板の連続表示グループと独立表示グループを説明する説明図である。
【図８】図８は、本発明の一実施形態によるリーフ式表示機を制御する回路系統を示すブロック図である。
【図９】図９は、本発明の一実施形態によるリーフ式表示機の動作を説明する説明図である。
【符号の説明】
【０１１２】
１…パチンコ機、２…外枠、３…前枠、
４ａ、４ｂ…開閉連結支持機構、５…施錠装置、６…ガラス扉、
７…上球皿、７ａ…球皿部、７ｂ…レバー、７ｃ…放音部、
８…下球皿、８ａ…球皿部、８ｂ…球出口、９…打球発射装置、
９ａ…操作ハンドル、１０…収容枠、１１…遊技盤、
１２…遊技領域、１３…裏機構、１４…化粧板、１５…案内レール、
１６ａ…外レール、１６ｂ…内レール、１７…一般入賞具、
１８…始動入賞具、１８ａ、１８ｂ…チューリップ羽根、
１９…アタッカー入賞具、１９ａ…開閉扉、
２０…アウト口、２１ａ、２１ｂ、２１ｃ…係合レバー、
２２…遊技補助盤、３０…球貯留供給機構、３１…タンク部材、
３２…整列樋部材、３３…ターミナル制御部、３４…変向出口、
４０…賞球払出機構、４１…開閉基枠体、４２…球切れ検出スイッチ、
４３…整列待機通路部材、４４…賞球カセット、５０…裏セット盤、
５１ａ、５１ｂ…ヒンジ、５２ａ、５２ｂ、５２ｃ…閉止レバー、
９１…主制御基板、９２…賞球制御基板、
９３…ランプ・音声制御基板、９４…電源基板、９５…中継基板、
９６…表示制御基板、１００…図柄表示装置、
１００ａ、１００ｂ、１００ｃ…リーフ式表示機、
１０１…ケース、１０２…回転駆動部、１０３…回転位置検出センサ、
１０４…リーフ式表示機構部、１０５…ストッパ機構部、
１１１…ケース本体、１１２…側面板、１１３…表示窓、
１２１…ステッピングモータ、１２２…ピニオンギア、
１２３…スパーギア、１２４…回転軸、１２５…ネジ止部、
１２６…配線、１３１…回転ドラム、
１３２ａ０１、１３２ａ０２…１３２ａ３２…複数の表示板、
１４１…ストッパ、１４２…回転軸、
１４３ａ、１４３ｂ…軸受け部材、１４４…ソレノイド、
１５１…後壁、１５２ａ、１５２ｂ、１５２ｃ…貫通孔、
１５３ａ、１５３ｂ…ネジ、１５４…側壁、
１５５ａ、１５６ａ…軸受け、１５５ｂ、１５６ｂ…軸受け、
１５７…貫通孔、１５８…ネジ、
１６０ａ、１６０ｂ、１６０ｃ、１６０ｄ…貫通孔、
１６１ａ、１６１ｂ、１６１ｃ、１６１ｄ…ネジ穴、
１６２ａ、１６２ｂ、１６２ｃ、１６２ｄ…ネジ、
１７１…上壁、１７２…切欠き、１７３ａ、１７３ｂ…ネジ穴、
１４５ａ、１４５ｂ…貫通孔、１７４ａ、１７４ｂ…ネジ、
１７５…ブラケット、１７６ａ、１７６ｂ…貫通孔、
１７７ａ、１７７ｂ…ネジ、１８１…配線、１８２…ネジ穴、
１８３…検出部、１９１…円筒部、１９２…フランジ部、
１９３…ファイナルギア、１９４…支持孔、１９５…軸片部、
１９６…係合片部、２０１…舌片、２０２…ピン、
２０３…プランジャ、２１０…回転位置検出用インデックス、
２１１、２１２…絵柄、３０１…ＣＰＵ、３０２…ＲＯＭ、
３０３…ＲＡＭ、３０４…モータ駆動回路、３０５…ソレノイド駆動回路
【図１】
2007236582.tif 000003
【図２】
2007236582.tif 000004
【図３】
2007236582.tif 000005
【図４】
2007236582.tif 000006
【図５】
2007236582.tif 000007
【図６】
2007236582.tif 000008
【図７】
2007236582.tif 000009
【図８】
2007236582.tif 000010
【図９】
2007236582.tif 000011